(57)【要約】    【課題】外部回路を追加することなく、電源立ち上げ時および電源立ち下げ時における不安定な状態での表示素子の駆動を制御して、表示素子に異常電圧を印加するのを防止し、画像表示装置の信頼性を向上させる。    【解決手段】  複数の走査配線２と複数の変調配線３とを有し、配線によって電子放出素子に電圧を印加して輝度を制御する画像表示装置において、走査配線２を駆動させるための走査駆動制御部５に、電源電圧を監視するためのロジック電圧検出部７、選択電圧検出部８および非選択電圧検出部９を設ける。電源の立ち上げ時および立ち下げ時において、少なくとも１つの電圧検出部が規定電圧の範囲外になった段階で、走査配線駆動出力部１１による駆動を停止させる。【選択図】        図２
2006235169.tif 000002
【特許請求の範囲】
【請求項１】
表示素子と、
上記表示素子に駆動電圧を印加する駆動回路と、
上記駆動回路に電源電圧およびロジック電圧を供給する電源と、
上記駆動回路内に、上記電源電圧および上記ロジック電圧が所定の電圧値の範囲内であるか否かを検出する電圧検出手段とが設けられ、
上記電圧検出手段により上記電源電圧および上記ロジック電圧が所定の電圧値の範囲内の場合に、上記駆動電圧を上記駆動回路に供給するように構成されている
ことを特徴とする画像表示装置。
【請求項２】
複数の走査配線と、
複数の変調配線と、
上記走査配線と上記変調配線とに接続され、マトリックス状に配置された複数の表示素子と、
上記走査配線に駆動出力信号を出力する複数の走査駆動回路と、
上記走査駆動回路に電源電圧を供給する電源とを有し、
上記複数の走査駆動回路のそれぞれに、上記電源から供給される電源電圧を検出可能に構成された電圧検出手段が設けられ、
上記電圧検出手段により、所定の範囲から外れた電圧が検出された場合に、上記走査駆動回路は、上記駆動出力信号を出力しないように構成されている
ことを特徴とする画像表示装置。
【請求項３】
上記電圧検出手段が、少なくとも、ロジック電圧が所定のロジック電圧の範囲内であるか否かを検出可能なロジック電圧検出部を有し、上記ロジック電圧が所定のロジック電圧の範囲から外れた場合に、上記走査駆動回路に対して上記電圧を印加しない制御を行うように構成されていることを特徴とする請求項１及び２記載の画像表示装置。
【請求項４】
上記電圧検出手段は、ロジック電圧が所定のロジック電圧の範囲内であるか否かを検出可能なロジック電圧検出部と、選択電圧が所定の選択電圧の範囲内であるか否かを検出可能な選択電圧検出部と、非選択電圧が所定の非選択電圧の範囲内であるか否かを検出可能な非選択電圧検出部とを有し、上記ロジック電圧、上記選択電圧および上記非選択電圧のうちの少なくとも１つの電圧値が上記範囲から外れた場合に、上記走査駆動回路に対して電圧を印加しない制御を行うように構成されていることを特徴とする請求項１及び２記載の画像表示装置。
【請求項５】
表示素子と、
上記表示素子に駆動電圧を出力する駆動回路と、
上記駆動回路に電源電圧およびロジック電圧を出力する電源と、
上記駆動回路および上記電源を連携して制御する制御部とを有する画像表示装置に対する制御方法であって、
上記制御部により、上記駆動回路に画像信号が供給されるステップと、
上記制御部からの信号に基づいて、上記電源により、上記駆動回路に電源電圧とロジック電圧とを印加するステップと、
上記駆動回路により、上記電源電圧と上記ロジック電圧との立ち上がりまたは立ち下がりに同期して、上記駆動電圧を上記表示素子に印加するステップとを有する
ことを特徴とする画像表示装置の制御方法。
【請求項６】
表示素子と、
上記表示素子に駆動電圧を印加する駆動回路と、
上記駆動回路に電源電圧およびロジック電圧を供給する電源と、
上記駆動回路および上記電源を連携して制御する制御部とを有する画像表示装置の制御方法であって、
上記制御部から上記駆動回路に画像信号が供給されるステップと、
上記制御部からの信号に基づいて、上記電源により、上記駆動回路に電源電圧とロジック電圧とを印加するステップと、
上記電源電圧および上記ロジック電圧が所定の電圧値の範囲内であるか否かを検出するステップと、
上記電源電圧および上記ロジック電圧が所定の電圧値の範囲内の場合に、上記駆動電圧を上記駆動回路に供給するステップとを有する
ことを特徴とする画像表示装置の制御方法。
【請求項７】
請求項１乃至４のいずれか１項記載の画像表示装置と、
テレビジョン信号を受信する受信手段とを備えている
ことを特徴とするテレビジョン装置。
【発明の詳細な説明】
【技術分野】
【０００１】
この発明は、画像表示装置およびその制御方法、ならびにテレビジョン装置に関し、特に、画像表示装置における表示のオン／オフ制御に適用して好適なものである。
【背景技術】
【０００２】
従来、画像表示の制御方法としては、特許文献１および特許文献２に記載の技術が知られている。
【０００３】
特許文献１には、ＭＰＵから表示体駆動手段に、表示オンシーケンスの開始を指示する信号を出力するステップを有する制御方法が記載されている。すなわち、特許文献１に記載された従来技術においては、別に設けられたＭＰＵにより、表示体駆動手段の出力の制御が行われている。
【０００４】
また、特許文献２には、表示制御手段からの信号に基づいて、表示素子駆動手段が表示素子への印加電位を特定状態へ設定し、表示をブランクにする表示オフ制御方法が記載されている。すなわち、特許文献２に記載された従来技術においては、表示制御手段からの信号に基づいて、表示素子駆動手段により表示素子への印加電位が特定状態に設定され、表示がブランクにされている。
【特許文献１】特許３１３９４９５号公報（段落番号［００２６］および図１）
【特許文献２】特許３２６９５０２号公報（段落番号［００２５］および図１）
【発明の開示】
【発明が解決しようとする課題】
【０００５】
しかしながら、本発明者の知見によれば、特許文献１や特許文献２に記載されている画像表示装置におけるオン／オフの制御方法においては、電源シーケンス処理が必要となる。
【０００６】
すなわち、図９に示すように、従来技術においては、制御部としてのＭＰＵ４´と電力を供給する電源１４とが設けられ、ＭＰＵ４´から走査駆動制御部５に走査出力制御信号１２が供給されて走査配線が駆動されるとともに、電源１４から電源配線１５を通じて、それぞれの走査駆動制御部５に電力が供給されていた。そして、この電源１４の制御自体もＭＰＵ４´により実行されていた。そのため、電源回路および制御回路であるＭＰＵ４´回路の構成が複雑になってしまい、高コスト化の要因となっていた。また、ユーザによって故意に電源コンセントを抜かれた場合など、急に電源がオフした場合、ＭＰＵ４´が電源のオフシーケンスを完了するまで、ＭＰＵ４´の電源電圧を維持するための大容量コンデンサが必要であった。
【０００７】
したがって、この発明の目的は、電源シーケンス処理を不要として、電源回路および制御回路であるＭＰＵ回路の構成の複雑化を回避することにより低コスト化を図ることができる画像表示装置およびその制御方法を提供することにある。また、この発明の他の目的は、このような画像表示装置を有するテレビジョン装置を提供することにある。
【課題を解決するための手段】
【０００８】
上記目的を達成するために、この発明の第１の発明は、
表示素子と、
表示素子に駆動電圧を印加する駆動回路と、
駆動回路に電源電圧およびロジック電圧を印加する電源と、
駆動回路内に、電源電圧およびロジック電圧が所定の電圧値の範囲内であるか否かを検出する電圧検出手段とが設けられ、
電圧検出手段により電源電圧およびロジック電圧が所定の電圧値の範囲内との場合に、駆動電圧を駆動回路に印加するように構成されている
ことを特徴とする画像表示装置である。
【０００９】
この発明の第２の発明は、
複数の走査配線と、
複数の変調配線と、
走査配線と変調配線との交点近傍に位置し、マトリックス状に配置された複数の表示素子と、
走査配線に電圧を印加する複数の走査駆動回路と、
少なくとも表示素子および走査駆動回路に電圧を印加する電源とを有し、
複数の走査駆動回路のそれぞれに、電源から供給される電圧を検出可能に構成された電圧検出手段が設けられ、
電圧検出手段により、所定の範囲から外れた電圧が検出された場合に、走査駆動回路に電圧を印加しないように構成されている
ことを特徴とする画像表示装置である。
【００１０】
この発明の第３の発明は、
表示素子と、
表示素子に駆動電圧を出力する駆動回路と、
駆動回路に電源電圧およびロジック電圧を出力する電源と、
駆動回路および電源を連携して制御する制御部とを有する画像表示装置に対する制御方法であって、
制御部により、駆動回路に画像信号が供給されるステップと、
制御部からの信号に基づいて、電源により、駆動回路に電源電圧とロジック電圧とを印加するステップと、
駆動回路により、電源電圧とロジック電圧との立ち上がりまたは立ち下がりに同期して、駆動電圧を表示素子に印加するステップとを有する
ことを特徴とする画像表示装置の制御方法である。
【００１１】
この発明の第４の発明は、
第１の発明または第２の発明を含む画像表示装置と、
テレビジョン信号を受信する受信手段とを備えている
ことを特徴とするテレビジョン装置である。
【００１２】
この発明によれば、表示体駆動手段の駆動回路中に電源監視手段である機能が設けられているため、外部回路による電源シーケンス処理が不要となる。また、制御回路を走査駆動部内に設けていることから、高コスト化を招くことなく、制御回路と表示体駆動回路との間の配線も短くなるので、配線の未接続による誤動作の問題も無く、ハーネスも不要となり、省スペース化も図ることができる。
【発明の効果】
【００１３】
以上説明したように、この発明によれば、駆動回路に電源監視機能を設けることにより、外部回路を追加することなく、電源立ち上げ時および電源立ち下げ時における不安定な状態での表示素子の駆動を制御することができるため、表示素子に対し異常電圧を印加することなく、画像表示装置全体の信頼性を向上させることができるとともに、電源回路の出力シーケンス制御が不要となるので、電源回路の設計を簡素化することができる。
【発明を実施するための最良の形態】
【００１４】
以下、この発明の実施形態について図面を参照しながら説明する。なお、以下の実施形態の全図においては、同一または対応する部分には同一の符号を付す。まず、この発明の一実施形態による画像表示装置について説明する。図１に、この一実施形態による画像表示装置の全体構成を示す。
【００１５】
図１に示すように、この一実施形態による画像表示装置は、マトリックスパネル１、走査配線２、変調配線３、制御部４、走査駆動ＩＣからなる走査駆動制御部５および、変調駆動ＩＣからなる変調駆動制御部６を有して構成されている。
【００１６】
マトリックスパネル１は、リアパネル１ａ上に、複数の電界放出素子３ａが複数の走査配線２と複数の変調配線３とによってマトリックス状に結線されて構成されているとともに、このリアパネル１ａの配線が設けられた面に対向して、蛍光体３ｃが設けられたフェースプレート３ｂが設けられている。そして、電界放出素子３ａから放出された電子は、数ｋＶから数１０ｋＶの高圧を印加したフェースプレート３ｂに到達する。電子は、フェースプレート３ｂ上に配された蛍光体３ｃに衝突して発光し、マトリックスパネル１に映像や画像を表示する。
【００１７】
また、図１において、マトリックスパネル１はリアパネル１ａとフェースプレート３ｂにより構成される。リアパネル１ａは、走査配線２と変調配線３との交点に電界放出素子３ａを配したものである。また、このマトリックスパネル１においては、制御部４を用いて走査駆動制御部５および変調駆動制御部６が制御される。そして、走査配線２と変調配線３との間に例えば数十ボルトの電圧を印加することにより、電界放出素子３ａから電子が放出される。
【００１８】
走査駆動制御部５は、通常の走査モードにおいては、複数の走査配線２のうちの一つの走査配線２に選択電位を印加し、他の選択されない走査配線２には非選択電位（例えば、接地電位）を印加して、その選択された走査配線２を順次切り替えるための駆動回路である。
【００１９】
変調駆動制御部６は、入力画像信号に応じて複数の定電圧電源からの出力を制御し、変調した変調信号を複数の変調配線３のそれぞれに並列的に印加する駆動回路である。そして、制御部４は、走査駆動制御部５および変調駆動制御部６に画像データを供給して、マトリックスパネル１に画像を表示するための制御回路である。ここで、この走査駆動制御部５は、例えば８個の回路が並列に並べられている。この走査駆動制御部５により、走査配線２に所定の電圧が印加され、マトリックスパネル１に画像が表示される。
【００２０】
また、他の走査モードにおいては、走査駆動制御部５は、走査配線２のうちの複数の走査配線２を同時に選択して選択電位を印加し、選択する走査配線２を順次１本ずつシフトさせるように切り替えることもできる。
【００２１】
（走査駆動制御部）
次に、走査配線２に選択電圧を印加し順次切り換えるための走査駆動制御部５について詳細に説明する。図２に、この一実施形態による走査駆動制御部５の構成を示す。
【００２２】
図２で、走査駆動制御部５は走査配線を選択するためのフリップフロップ１１Ｄからなるシフトレジスタ１１Ａと、走査配線を駆動する走査配線駆動出力部１１、電源電圧を監視するためのロジック電圧検出部７、Ｖsel電圧検出部８、Ｖusel電圧検出部９とそれぞ
れの電圧検出部からの信号の論理積演算を行うＡＮＤ回路１０とからなる。なお、図示省略したが、電源は、この走査駆動制御部５の外部に設けられている。
【００２３】
始めに、シフトレジスタ１１Ａは複数のフリップフロップ１１Ｄで構成され、制御部４からのシフトデータ１１Ｂを、制御部４からのシフトクロック１１Ｃの立ち上がりのタイミングで、上から順にシフトする。各フリップフロップ１１Ｄは、シフトデータがシフトされるタイミングで、走査配線駆動出力部１１に出力制御信号２９を供給する。
【００２４】
選択電圧検出部８は、選択された１本または所定本数の走査配線２に対して印加する選択電圧として、−１０〜−１５Ｖの範囲内における所定の電位が規定されると、実際の選択電圧が、この規定電圧に対して±５％以内の範囲内であるか否か、すなわち規定電圧と見なせる状態となったか否かの検出を行うための回路である。そして、この選択電圧検出部８において、選択電圧が規定電圧の例えば±５％の範囲内になった時に、「１（high）」が出力される。
【００２５】
また、非選択電圧検出部９は、複数の走査配線２のうちの選択されない走査配線２に対して印加する非選択電圧として、例えば０〜５Ｖの範囲内における所定の電位が規定されると、実際に印加される非選択電圧が、この規定電圧の、例えば±５％の範囲内であるか否か、すなわち非選択電圧が規定電圧になったか否かの検出を行うための回路である。そして、この非選択電圧検出部９において検出された非選択電圧が、規定電圧の例えば±５％の範囲内になった時に、「１（high）」が出力される。
【００２６】
また、ロジック電圧検出部７は、ロジック電源による印加されるロジック電圧を検出するためのものである。この場合、ロジック電圧は、例えば３．３Ｖや５Ｖ程度が規定電圧となる。そして、ロジック電圧検出部７において検出されたロジック電圧が、規定電圧の例えば±５％の範囲内になった時に、「１（high）」が出力される。
【００２７】
そして、ＡＮＤ回路１０は、これらのロジック電圧検出部７、選択電圧検出部８および非選択電圧検出部９からの出力が、全て「１（high）」になった時に、「１（high）」を出力する。
【００２８】
次に、電源の立ち上げシーケンスおよび立ち下げシーケンスについて説明する。図３に、この一実施形態による走査駆動制御部５におけるオン／オフ制御、すなわち、変調配線３および走査配線２に印加する電源電圧の立ち上げシーケンスおよび立ち下げシーケンスを示す。
【００２９】
（立ち上げシーケンス）
まず、立ち上げシーケンスについて説明する。図３に示すように、電源のオン／オフ制御においては、最初に、変調駆動制御部６による変調配線３に対するロジック電圧の印加のために、ロジック電源がオンされる。次に、イネーブル信号の供給のための電源がオンされ、続いて、変調配線駆動電源がオンされる。
【００３０】
この変調配線３に対する電源のオン制御、すなわちＸドライバの制御が終了した後、走査配線２に対する電圧の印加のための電源のオン制御、すなわちＹドライバの制御が実行される。
【００３１】
まず、走査配線２に対して選択電圧を印加するための電源（選択電圧電源ＶＥＥ）がオンされる。これにより、図２に示す選択電圧検出部８から「high」が出力される。他方、他の電源（ロジック電源（ＶＤＤ）および走査配線非選択電圧Ｖｕｓの印加のための電源（走査配線非選択電源））がオンされていないため、ロジック電圧検出部７および非選択電圧検出部９からは「０（low）」が出力される。
【００３２】
その後、図３に示すように、走査配線非選択電源Ｖｕｓが立ち上げられてオンされると、非選択電圧検出部９から「１（high）」が出力される。また、ロジック電源ＶＤＤが立ち上げられてオンされると、ロジック電圧検出部７から「１（high）」が出力される。これに伴って、図２に示すＡＮＤ回路１０への入力が全て「１（high）」となることから、走査配線駆動出力部１１に「１（high）」が供給されて電圧印加可能となり、駆動出力がオン状態となる。
【００３３】
換言すると、走査駆動制御部５においては、それぞれの走査配線選択電圧ＶＥＥ、走査配線非選択電圧Ｖｕｓおよびロジック電圧ＶＤＤを印加する電源を監視する検出部が設けられており、これらの電圧値が所定の電圧（規定電圧）に対して例えば±５％に達した場合に、走査配線駆動出力部１１に供給される駆動出力がオン状態となるように構成されている。
【００３４】
（立ち下げシーケンス）
次に、立ち下げシーケンスにおいては、上述した立ち上げシーケンスと、ほぼ逆順に処理が実行される。
【００３５】
まず、ロジック電圧ＶＤＤｙがオフ状態となる。これに伴って、図２に示すロジック電圧検出部７からは「０（low）」が出力される。そして、この出力によりＡＮＤ回路１０
から「０（low）」が出力されるため、走査配線駆動出力部１１に電圧が印加されなくな
り、駆動出力がオフ状態となる。
【００３６】
換言すると、走査駆動制御部５においては、走査配線２に印加される電圧の電源を監視可能に構成され、これらの電源のうちの１つの電源による電圧が、規定電圧に対して例えば±５％の範囲から外れた場合に、走査配線駆動出力部１１に供給される駆動出力がオフ状態になるように構成されている。
【００３７】
走査配線駆動出力部１１に対する駆動出力がオフ状態になった後、続いて、図３に示すように、走査配線非選択電源Ｖｕｓおよび走査配線選択電源ＶＥＥが順次オフ状態とされる。続けて、変調配線３に印加される電圧の電源、すなわち変調配線駆動電源Ｖｎ、イネーブル信号のための電源、およびロジック電源ＶＤＤｘが順次オフ状態とされ、電源の立ち下げシーケンスが終了する。
【００３８】
（電圧検出部）
次に、電圧検出部として用いられる電源監視回路について説明する。図４に、ロジック電圧検出部７の例を示す。
【００３９】
図４に示すように、この一実施形態による電源監視回路においては、トランジスタ１９ａのベースは電流源１６に接続されている。従って、電源２１の電圧に関係なく、一定の電流を流そうとする。これにより、トランジスタ１９ａのベースが引っ張られて、トランジスタ１９ａのノードの電位Ｖ７が電源電圧の上昇に伴って上昇する。そして、トランジスタ１９ａのコレクタ電流が電流源１６からの電流Ｉ１と等しくなったときに平衡となる。
【００４０】
一方、トランジスタ１９ｂのベースには、電圧分圧用抵抗２０での抵抗分割による電圧が加わる。これにより、トランジスタ１９ｂのノードＶ５の部分に電流が流れないために０Ｖとなる。電源２１の電圧が上昇すると、トランジスタ１９ａ，１９ｂの電圧が平衡になる。この電圧がさらに上昇すると、トランジスタ１９ａ，１９ｂのベース電位の関係が反転し、トランジスタ１９ａのノードの電位Ｖ７が下降して、トランジスタ１９ｂのノードの電位Ｖ５が上昇する。
【００４１】
そして、トランジスタ１９ａのノードの電位Ｖ７と、トランジスタ１９ｂのノードの電位Ｖ５とがコンパレータ２４において比較され、その比較結果が電位Ｖ９として出力される。そして、このＶ９の出力は、図２に示すＡＮＤ回路１０に供給される。
【００４２】
以上の電源監視回路における電位Ｖ５，Ｖ７，Ｖ９の変化を図５に示す。図５に示すように、トランジスタ１９ａのノード電位Ｖ７およびトランジスタ１９ｂのノード電位Ｖ５が監視されて、コンパレータ２４によりこれらの電位の反転位置が検出されることにより、電源２１の電圧と規定電圧との比較を行うことが可能となり、電源により印加電圧が規定電圧になったか否かの検出を行うことが可能となる。
【００４３】
また、図６に、この発明の一実施形態による図２の走査配線駆動出力部１１の回路図を示し、図７に、この回路図における出力制御信号２９（図７Ａ参照）および出力部マスク信号３０（図７Ｂ参照）と、これらの信号に基づいた駆動出力信号３５（図７Ｃ参照）を示す。
【００４４】
図６において、出力制御信号２９は、図２に示すシフトレジスタ１１Ａを構成するフリップフロップ１１Ｄの出力であり、選択された走査配線に印加される駆動出力信号３５の立ち上げおよび立ち下げを制御する。そして、この出力制御信号２９と、ＡＮＤ回路１０を通じて供給される出力部マスク信号３０とを入力とする論理演算回路３１，３２の出力により、選択された走査配線に出力される駆動出力信号のオン、オフ（選択、非選択）を制御する。なお、ＮＯＲ回路３２には、レベルシフタ３８を介して非選択電圧電源（Ｖusel）に接続されたｐＭＯＳトランジスタ３３のゲートが接続される。そして、例えば、ＮＯＲ回路３２の出力がＬｏ（０Ｖ）の場合、レベルシフタ３８によってｐＭＯＳトランジスタ３３のゲートは、Ｖusel−３．３Ｖの電位へシフトされ、駆動出力信号３５をＶusel電位（非選択電位）に固定される。
【００４５】
レベルシフタ３８としては、例えばツェナーダイオードが用いられる。ＡＮＤ回路３１には、レベルシフタ３８を介して選択電圧電源（Ｖsel）に接続されたｎＭＯＳトランジ
スタ３４のゲートが接続され、例えば、ＡＮＤ回路３１がＨｉ（３．３Ｖ）の場合、ｎＭＯＳトランジスタ３４のゲートには、レベルシフタ３８によってＶusel＋３．３Ｖの電位へシフトされた信号が入力され、駆動出力信号３５を選択電位（Ｖsel）へ固定する。
【００４６】
そして、図７に示すように、出力制御信号２９が、出力部マスク信号３０によりマスクされることにより、図７Ｃに示すように、実際に走査配線２に供給される走査配線駆動出力信号３５が選択電圧出力期間であっても、出力部マスク信号３０の立ち上がりのタイミングで非選択電圧が出力された信号となる。このようにして、走査配線２に供給される走査配線駆動出力信号３５が制御されて、規定電圧の範囲外の電圧、すなわち異常電圧が、電子放出素子３ａや走査配線駆動出力部１１に印加されるのを防止することができる。
【００４７】
図１に示す電子放出素子３ａには、このように制御された走査配線出力信号と変調配線出力信号とにより駆動電圧が印加される。
【００４８】
（テレビジョン装置）
次に、この一実施形態による画層表示装置を用いたテレビジョン装置について説明する。図８に、この一実施形態による画像表示装置を用いたテレビジョン装置を示す。
【００４９】
図８に示すように、テレビジョン装置は、受信回路１２０と、画像処理部１２１と、制御部１２２、駆動回路１２３および表示パネル１２４からなる表示装置１２５とを有して構成されている。
【００５０】
受信回路１２０は、チューナーやデコーダなどから構成される。この受信回路１２０は、衛星放送や地上波などのテレビ信号、ネットワークを介したデータ放送などを受信して、復号化した映像データを画像処理部１２１に出力可能に構成されている。また、画像処理部１２１は、γ補正回路や解像度変換回路、インターフェース（Ｉ／Ｆ）回路などを有して構成されている。画像処理部１２１は、画像処理された映像データを表示装置の表示フォーマットに変換して表示装置１２５に画像データを出力可能に構成されている。
【００５１】
表示装置１２５は、表示パネル１２４、上述の一実施形態による走査駆動制御部５および変調駆動制御部６を有する駆動回路１２３、および制御部１２２を有して構成される。制御部１２２により、入力した画像データに対して、表示パネルに適した補正処理などの信号処理が施されるとともに、駆動回路１２３に、画像データおよび各種制御信号を供給可能に構成されている。駆動回路１２３は、入力された画像データに基づいて、表示パネル１２４に駆動信号が供給されて、テレビ映像が表示される。
【００５２】
なお、受信回路１２０と画像処理部１２１とは、図８に示すように、セットトップボックス（ＳＴＢ）１２６として表示装置１２５とは別の筐体に収められていてもよく、表示装置１２５と一体の筐体に収められていてもよく、これらの場合以外に種々の組み合わせを採用することが可能である。
【００５３】
以上、この発明の一実施形態について具体的に説明したが、この発明は、上述の一実施形態に限定されるものではなく、この発明の技術的思想に基づく各種の変形が可能である。
【００５４】
例えば上述の一実施形態においては、走査駆動制御部５に電源電圧やロジック電圧の検出部を設けた場合について説明したが、変調駆動制御部６に電源電圧の検出部を設けるようにしても良い。この場合、変調駆動制御部６におけるオン／オフ制御に関しても、上述したオン／オフ制御を採用することが可能である。
【００５５】
また、例えば上述の一実施形態においては、それぞれの検出部７，８，９における検出基準となる所定の電圧範囲を、規定電圧の±５％としているが、必ずしも±５％に限定されるものではなく、そのほかの範囲とすることも可能であり、必要に応じて、この規定電圧を含む任意の範囲に設定することが可能である。
【図面の簡単な説明】
【００５６】
【図１】この発明の一実施形態による画像表示装置を示す略線図である。
【図２】この発明の一実施形態による電源監視機能を有する走査配線駆動部を示すブロック図である。
【図３】この発明の一実施形態による画像表示装置の走査配線および変調配線に対する電源のオン／オフのシーケンスを示すタイミング図である。
【図４】この発明の一実施形態による画像表示装置における電圧検出部の構成を示す回路図である。
【図５】この発明の一実施形態による画像表示装置における電圧検出部の電圧検出方法を説明するためのグラフである。
【図６】この発明の一実施形態による画像表示装置の走査配線駆動出力部の構成を示す回路図である。
【図７】この発明の一実施形態による画像表示装置の走査配線駆動出力部における駆動制御信号と出力部マスク信号とこれによる出力がマスクされた信号とを示すグラフである。
【図８】この発明の一実施形態による画像表示装置を用いたセットトップボックスおよびテレビジョン装置を示すブロック図である。
【図９】従来技術による画像表示装置における電源および走査配線駆動部の構成を示すブロック図である。
【符号の説明】
【００５７】
１  マトリックスパネル
１ａ  リアパネル
２  走査配線
３  変調配線
３ａ  電界放出素子
３ｂ  フェースプレート
３ｃ  蛍光体
４  制御部
５  走査駆動制御部
６  変調駆動制御部
７  ロジック電圧検出部
８  選択電圧検出部
９  非選択電圧検出部
１０  ＡＮＤ回路
１１  走査配線駆動出力部
１２  走査出力制御信号
１４  電源
１５  電源配線
１６  電流源
１９，１９ａ，１９ｂ  トランジスタ
２０  電圧分圧用抵抗
２１  電源
２４  コンパレータ
３１  ＡＮＤ回路
３２  ＮＯＲ回路
３３  ｐＭＯＳトランジスタ
３４  ｎＭＯＳトランジスタ
３８  レベルシフタ
１２０  受信回路
１２１  画像処理部
１２２  制御部
１２３  駆動回路
１２４  表示パネル
１２５  表示装置
１２６  ＳＴＢ
【図１】
2006235169.tif 000003
【図２】
2006235169.tif 000004
【図３】
2006235169.tif 000005
【図４】
2006235169.tif 000006
【図５】
2006235169.tif 000007
【図６】
2006235169.tif 000008
【図７】
2006235169.tif 000009
【図８】
2006235169.tif 000010
【図９】
2006235169.tif 000011